(57)【要約】  各々が独立して膨張可能である、複数の長手方向の区画を備える膨張式マットレス。マットレスの長手方向の区画を順次膨張および収縮させることによって、シートまたは他の寝具を交換する方法。
2019536571.tif 000002
【特許請求の範囲】
【請求項１】
複数の長手方向の区画を備える膨張式マットレスであって、各区画が、他の区画から独立して膨張可能であり、かつ、前記マットレスの第１の側面または端部から、前記マットレスの第２の側面または端部まで延びる、膨張式マットレス。
【請求項２】
各区画が前記マットレスの全長または全幅に沿って延びる、請求項１に記載の膨張式マットレス。
【請求項３】
２つ以上の水平な区画を備える、請求項１に記載の膨張式マットレス。
【請求項４】
各区画が、対応する弁を有する、請求項１〜３のいずれか一項に記載の膨張式マットレス。
【請求項５】
各弁が、圧縮流体の供給源に接続されている、請求項４に記載の膨張式マットレス。
【請求項６】
前記圧縮流体の供給源が制御装置に接続されており、前記制御装置が前記区画を選択的に膨張および収縮させるように構成されている、請求項５に記載の膨張式マットレス。
【請求項７】
前記制御装置が、所定の手順に従って、前記区画を膨張および収縮させるように適合された、請求項６に記載の膨張式マットレス。
【請求項８】
前記マットレスの占有者を換気するための手段を備える、請求項１〜７のいずれか一項に記載の膨張式マットレス。
【請求項９】
前記換気手段が、隣接する区画によって形成される溝に配置された、複数の有孔ホースを含む、請求項８に記載の膨張式マットレス。
【請求項１０】
請求項１〜９のいずれか一項に記載の膨張式マットレスと、
巻き取り可能なシートと、
を備える寝具構成。
【請求項１１】
前記手順が、前記巻き取り可能なシートを、前記マットレスの上面と前記ベッドの占有者との間で巻き取り可能にする、請求項７を引用する請求項１０に記載の寝具構成。
【請求項１２】
マットレスが、占有者によって占有され、かつ、別々に膨張可能な複数の区画を備える、膨張式マットレス上のシートを交換する方法であって、
第１組の１つ以上の前記区画を収縮させて、前記占有者とベッドとの間に空隙を形成するステップと、
シートを前記空隙に挿入するステップと、
第２組の区画を収縮させて前記空隙の寸法を増大するステップと、
前記シートを前記空隙内に移動させるステップと、
前記第１組の区画を膨張させるステップと、
を含む、膨張式マットレス上のシートを交換する方法。
【請求項１３】
後続の組の区画を膨張および収縮させるステップと、前記シートを前記空隙内に移動させるステップとの反復をさらに含む、請求項１２に記載の方法。
【請求項１４】
各区画の膨張および収縮が、対応する弁によって制御される、請求項１２または請求項１３に記載の方法。
【請求項１５】
各弁が、圧縮流体の供給源に接続され、前記方法が、前記区画を膨張および収縮させるように前記圧縮流体の供給源を制御する前記ステップを含む、請求項１４に記載の方法。
【発明の詳細な説明】
【技術分野】
【０００１】
本発明は、膨張式マットレス、特に、複数の区画を有する膨張式マットレス、そのような膨張式マットレスを備える寝具構成、および、膨張式マットレス上のシートを交換する方法に関する。
【背景技術】
【０００２】
病弱者の場合、合併症の主な原因は、長期にわたる床上安静から生じる。床擦れおよび汚れた寝具からの感染症は、こうした合併症の重症度を助長することがある。患者が動けない場合に寝具を交換することは困難である。現在、寝具の交換は、寝具を交換しながら患者を左右に転がすことによって、または、患者を動かせない場合は、クレーンまたは他の機械的補助を使用して患者を持ち上げることによって行われる。
【０００３】
患者を動かすことは厄介であり、患者が覚える不快感を深刻化することがある。クレーンなどの機械的補助は高価であり、物流的に面倒である。その他患者が骨折していたり、股関節置換術を受けていたりする場合、長期にわたり動作を禁止されることがある。こうした理由により、汚れた寝具および床擦れからの感染を防ぎながら、上記の不利な点を解決するための新しい寝具構成を提供することが望ましい。
【０００４】
この目的のために、米国特許第３，６５３，０８３号（Ｌａｐｉｄｕｓ）は、使用者と多孔質パッドとの接触面に気流を通すための手段を含むパッド状構造によって支持された、柔軟で弾力のある多孔質シートを備え、その結果、発疹や床擦れを防止する、柔軟で快適な支持が得られる、気泡ベッドパッドを開示する。
【０００５】
米国特許出願公開第２００２／００７３４８９号（Ｔｏｔｔｏｎ）は、使用者が固定または交互を選択可能な、患者の皮膚にかかる圧力をより均一に再分配するための空気動力式支持面を組み込み、それにより褥瘡性潰瘍（すなわち、褥瘡または床擦れ）を予防および治療する、空気膨張式のマットレスおよびマットレスカバーレットを開示する。
【０００６】
米国特許第５，９２６，８８４号（Ｂｉｇｇｉｅ）は、患者の皮膚および創部から過剰な湿気を除去するために空気を逃がす複数のシートを備え、それにより褥瘡性潰瘍を予防および治療する、空気分配装置を開示する。
【発明の概要】
【０００７】
本発明の第１の態様によれば、膨張式マットレスが提供され、この膨張式マットレスは、各区画が、他の区画から独立して膨張可能であり、かつ、マットレスの第１の側面または端部から、マットレスの第２の側面または端部まで延びる、複数の長手方向の区画を備える。典型的には、第１の側面または端部と、第２の側面または端部とは異なっていてもよい。
【０００８】
第１の側面または端部と、第２の側面または端部とは、互いに対向して配置されてもよい。第１の側面もしくは端部は、マットレスの上面もしくは上端部であってもよく、第２の側面もしくは端部は、マットレスの底面もしくは下端部であってもよく、またはその逆であってもよい。第１の側面もしくは端部は、マットレスの左側面もしくは左端部であってもよく、第２の側面もしくは端部は、マットレスの右側面もしくは右端部であってもよく、またはその逆であってもよい。
【０００９】
第１の側面または端部と、第２の側面または端部とは、互いに隣接して配置されてもよい。第１の側面もしくは端部は、マットレスの上面もしくは上端部、またはマットレスの底面もしくは下端部であってもよく、第２の側面もしくは端部は、マットレスの左側面もしくは右側面であってもよく、またはその逆であってもよい。
【００１０】
典型的には、マットレスは形状が四辺形であってもよく、たとえば、実質的に長方形または正方形であってもよい。
【００１１】
マットレスの各区画は、マットレスの第１の側面もしくは端部から、マットレスの第２の側面もしくは端部まで、および／または、マットレスの隣接する側面もしくは端部の間で、斜めに延びてもよい。
【００１２】
マットレスの各区画は、マットレスの長さもしくは幅に沿って、および／または、マットレスの対向する側面もしくは端部の間で、長手方向に延びてもよい。
【００１３】
マットレスの各区画は、マットレス全体の寸法に沿って、たとえば、マットレスの全長に沿って、またはマットレスの全幅にわたって、延びてもよい。
【００１４】
本明細書では、用語「複数」の区画は、２つ以上の区画、または少なくとも２つの区画を意味する、と理解されよう。
【００１５】
本明細書では、用語「独立して」は、互いに独立して、または、他のすべてから独立して、という意味で理解されよう。１つ以上の区画は、１つ以上の他の区画とは独立して膨張させることができる。同様に、１つ以上の区画は、１つ以上の他の区画とは独立して収縮させることができる。ある区画は膨張させることができ、別の区画は収縮させることができ、それらの区画は隣接していてもいなくてもよい。ある区画の膨張または収縮は、他のいずれの区画の膨張状態にも影響を及ぼさない。
【００１６】
膨張式マットレスは、２つ以上の水平な区画を備えてもよく、水平な各構成要素は、マットレスの全幅に沿って、またはマットレスの全長に沿って延びてもよい。
【００１７】
膨張式マットレスの各区画は、対応する弁を有してもよく、各弁は圧縮流体の供給源に接続してもよい。この圧縮流体の供給源は制御装置に接続してもよく、制御装置は、区画を選択的に膨張および収縮させるように構成してもよい。制御装置は、所定の順序に従って区画を膨張および／または収縮させるように適合されていてもよい。
【００１８】
膨張式マットレスは、マットレスの占有者を換気するための手段を含んでもよく、換気手段は、隣接する区画によって形成される溝に配置された、複数の有孔ホースを含んでもよい。
【００１９】
本発明はまた、本発明による膨張式マットレスと、巻き取り可能なシートと、を備える寝具構成に関する。
【００２０】
この寝具構成は、各区画が、圧縮流体の供給源に接続された対応する弁を有し、圧縮流体の供給源が、制御装置に接続され、制御装置が、所定の手順に従い、選択的に区画を膨張および収縮させるように構成および適合され、その手順が、巻き取り可能なシートを、マットレスの上面とベッドの占有者との間で巻き取り可能にする、膨張式マットレスを備えてもよい。
【００２１】
マットレスは、ベッド上に配置することができ、かつ、ベッドの上で、たとえば、ベッドの全表面にわたり、たとえば、ベッドの全長および／または全幅に沿って、長手方向に延びてもよい。マットレスの各区画は、ベッドの上面からベッドの底面まで、またはベッドの一方の側面あるいは端部から他方の側面あるいは端部まで、たとえば、ベッドに対して水平に、ベッドの反対側の側面あるいは端部まで、延びてもよい。
【００２２】
本発明の第２の態様によれば、マットレスが、占有者によって占有され、かつ、別々に膨張可能な複数の区画を備える、膨張式マットレス上のシートを交換する方法が提供され、その方法は、
第１組の１つ以上の区画を収縮させて、占有者とベッドとの間に空隙を形成するステップと、
シートを空隙に挿入するステップと、
第２組の区画を収縮させて、空隙の寸法を増大するステップと、
シートを空隙内に移動させるステップと、
第１組の区画を膨張させるステップと、
を含む。
【００２３】
膨張式マットレス上のシートを交換するこの方法は、後続の組の区画を膨張および収縮させるステップと、空隙内のシートを動かすステップとの反復を、さらに含んでもよい。
【００２４】
本発明によるこの方法では、各区画の膨張および収縮は、対応する弁によって制御することができ、各弁は圧縮流体の供給源に接続することができ、その方法は、区画を膨張および収縮するように圧縮流体の供給源を制御するステップを含む。本発明の第１の態様に関して上述した特徴は、本発明の第２の態様による方法にも同様に当てはめることができるため、本明細書では単に簡潔を旨として繰り返さない。
【図面の簡単な説明】
【００２５】
【図１】本発明の好ましい実施形態による膨張式マットレスを示す図である。
【図２】本発明の一実施形態による、膨張式マットレス上のシートを交換する工程を示す図である。
【図３】本発明の好ましい実施形態による膨張式マットレスを示す図である。
【発明を実施するための形態】
【００２６】
図１は、本発明の一実施形態による膨張式マットレス１０を示す。マットレス１０は、複数の膨張式区画１２Ａ、１２Ｂ、１２Ｃ…１２Ｆを含む。図示の実施形態では、６つの区画１２Ａ、１２Ｂ、１２Ｃ、１２Ｄ、１２Ｅおよび１２Ｆがある。ただし、任意の数の区画が使用可能であり、一般に、たとえばベッドの上に置くマットレスの寸法に依拠するであろうことを理解されたい。従って、本発明の実施形態は、異なる寸法のベッドに使用することができる、様々な寸法のマットレスと共に使用してもよい。
【００２７】
各区画１２Ａ…１２Ｆは、それらがマットレス１０の長さに対して平行に配向されているという点において、長方形の区画である。ただし、本発明の実施形態はまた、正方形のマットレスにも及ぶことを理解されたい。別の設計では、区画はマットレスの幅に沿って水平であってもよい。他の形状も可能であるが、より多くの接続、ならびにより複雑な膨張システムおよび収縮システムを必要とすることがある。実施形態では、区画が占有領域の全長にわたって延びる。
【００２８】
各区画は、対応するホース１６Ａ、１６Ｂ、１６Ｃ…１６Ｆによってインフレータ１８に接続された、対応する弁１４Ａ、１４Ｂ、１４Ｃ…１４Ｆを有する。ホースは、圧縮空気の供給源に、本実施形態では圧縮機２０に、接続されている。圧縮機２０は、制御装置２２によって制御される。
【００２９】
この実施形態では、ホース１６Ａ…１６Ｆも制御装置２２と弁１４Ａ…１４Ｆとの間で電気信号を送る。従って、制御装置２２は、弁の開閉を制御することができ、圧縮機２０を制御することによって、各区画１２Ａ…１２Ｆを選択的に膨張または収縮させることができる。本発明の実施形態にとって重要なことに、区画は独立して膨張可能および収縮可能である。すなわち、ある区画の膨張または収縮は、別のいずれの区画の膨張状態にも影響を及ぼさないであろう。
【００３０】
図２Ａから２Ｅは、マットレス１０上のシートを交換する工程を示す。分かり易くするために、区画１２Ａ…１２Ｆのみが示されている。マットレスの残りの要素は省略されている。
【００３１】
図２Ａは、マットレス１０の占有者３０、および、占有者３０とマットレス１０との間に配置されたマットレスシート３２を示す。図２Ｂは、汚れたシート３２の上に導入される、ロール状で提供された清潔なシート３４を示す。清潔なシート３４のロールを収容するために、第１の区画１２Ａが部分的に収縮しており、ロールは収縮した区画によって形成された空隙に導入される。
【００３２】
次のステップが図２Ｃに示される。次の区画である区画１２Ｂが収縮し、それによって形成された空隙に清潔なシート３４が巻き取られる。
【００３３】
図２Ｄに示すように、次のステップで区画１２Ｃは収縮し、それによって形成された空隙に清潔なシート３４が巻き取られる。同時に、区画１２Ａは再膨張する。膨張した区画１２Ａ、１２Ｄ等は占有者３０を支持する。
【００３４】
新しいシートが巻き取られるローラーは、区画が十分に押し下げられることを確実にするために、十分な重量を有するべきである。あるいは、ローラーを各区画の端から端まで横切るように転がすために、機械的手段を使用してもよい。
【００３５】
後続の区画を収縮させ、また、先に収縮した区画を膨張させ、占有者３０の下の空隙が占有者３０より低く移動し、同時に、新しいシート３４が延ばされてその空隙を占めるようにすることによって、工程が繰り返される。図の表現は概略的であるが、区画の寸法が、工程中に占有者に提供される支持の量を決定するであろうことを理解されたい。従って、区画は、工程中に占有者が不快感をほとんど、または全く感じないことを確実にするような寸法にしてもよい。
【００３６】
図２Ｅは、清潔なシート３４を延ばす工程が完了した後の構成を示す。図示のように、次に、清潔なシート３４は、古いシート３２の上および占有者３０の真下に配置される。次に、図２Ｆに示すように、新しいシート３４を使用して占有者を静かに持ち上げることによって、古いシートを移動してもよい。
【００３７】
新しいマットレスシートを巻き取る手順は、手動または自動で行うことができる。
【００３８】
占有者を全く動かすことができない場合、占有者を静かに持ち上げる代わりに、新しいマットレスシートの巻き取りと同様の手順を適用して、占有者３０の下の古いシートを取り除くこともできる。
【００３９】
図３は、本発明のより好ましい実施形態による膨張式マットレス５０を示す。膨張式マットレス５０はマットレス１０と同様であり、同様の構成要素を指すために同様の参照番号が使用されている。
【００４０】
マットレス５０は、ベッドに沿って縦に延びる５つのホース４０Ａ、４０Ｂ、４０Ｃ、４０Ｄおよび４０Ｅを含む。ホースは、対応する接続ホース４２Ａ、４２Ｂ、４２Ｃ、４２Ｄおよび４２Ｅによってインフレータ１８に接続されている。ホース４０Ａ、…、４０Ｅは穿孔されており、インフレータ１８がこれらのホースに空気を供給すると、それによりベッドの占有者に換気が生じる。これは、一般に発汗を受けやすいマットレスの表面と接触している、患者の身体の全体的な冷えを抑えるのに役立つだけでなく、隣接する区画間の溝における汗の蓄積を抑えるのにも役立つ。
【００４１】
さらなる実施形態では、膨張式マットレスは、マットレスの占有者とマットレス自体との間の空気の流れを補助するために、メモリーフォームの層または他の連続気泡構造材料の層を含んでもよい。
【図１】
2019536571.tif 000003
【図２Ａ】
2019536571.tif 000004
【図２Ｂ】
2019536571.tif 000005
【図２Ｃ】
2019536571.tif 000006
【図２Ｄ】
2019536571.tif 000007
【図２Ｅ】
2019536571.tif 000008
【図２Ｆ】
2019536571.tif 000009
【図３】
2019536571.tif 000010
【国際調査報告】
2019536571.tif 000011
2019536571.tif 000012